(57)【要約】【課題】出力ジョブが片面出力、両面出力混在ジョブである場合に、両面出力による部分確認出力を実行し、ユーザによる画像の表裏調整の確認を可能とすること。【解決手段】部分確認出力機能実行時に、出力ジョブが片面出力、両面出力混在ジョブであって、予め設定された部分確認出力対象ページが片面出力ページである場合に、画像制御ＣＰＵ７１１は、両面出力による部分確認出力処理を行い、両面出力による部分確認出力を実行させる。【選択図】図６
2012054801.tif 000002
【特許請求の範囲】
【請求項１】
ジョブの一部に対して確認出力を行う部分確認出力機能を有する画像形成装置において、出力ジョブが片面出力、両面出力混在ジョブであって、予め設定された部分確認出力対象ページが片面出力ページである場合に、両面出力による部分確認出力を可能とすることを特徴とする画像形成装置。
【請求項２】
部分確認出力時に、予め設定された部分確認出力対象ページが片面出力ページである場合に、部分確認出力対象ページを前記出力ジョブ内の両面出力ページを含むように変更して出力することを特徴とする請求項１に記載の画像形成装置。
【請求項３】
部分確認出力時に、予め設定された部分確認出力対象ページが片面出力ページである場合に、当該部分確認出力対象ページの記録面と反対の面に、前記出力ジョブ内の当該部分確認出力対象ページとは異なるページの画像を付加して出力することを特徴とする請求項１に記載の画像形成装置。
【請求項４】
部分確認出力時に、予め設定された部分確認出力対象ページが片面出力ページである場合に、当該部分確認出力対象ページの記録面と反対の面に、当該記録面の画像を付加して出力することを特徴とする請求項１に記載の画像形成装置。
【請求項５】
画像を記憶する記憶手段を有し、部分確認出力時に、予め設定された部分確認出力対象ページが片面出力ページである場合に、当該部分確認出力対象ページの記録面と反対の面に、前記記憶手段に記憶されている画像を付加して出力することを特徴とする請求項１に記載の画像形成装置。
【請求項６】
前記部分確認出力機能として、ジョブの出力中に出力画像の確認が可能なサンプル出力機能を有し、予め設定されたサンプル出力対象ページが片面出力ページである場合に、前記サンプル出力対象ページのサンプル出力を行わず、前記サンプル出力対象ページより後に出力されるページであって、最初の両面出力ページのサンプル出力を行うことを特徴とする請求項１に記載の画像形成装置。
【発明の詳細な説明】
【技術分野】
【０００１】
本発明は、部分確認出力機能を有する画像形成装置に関する。
【背景技術】
【０００２】
画像形成装置にあるジョブを出力させる際に、当該ジョブの一部分を本出力中、或いは本出力開始前に出力させることで、ユーザの所望の画像が得られているかどうかを確認することが可能な部分確認出力機能を備えた画像形成装置が知られている。
【０００３】
例えば、部分確認出力機能として、一度に大量の画像形成を行うような場合に、出力途中のあるタイミングで、画像が形成された、本出力物とは異なる出力物を出力することにより、所望の画像形成がなされているかを確認することが可能なサンプル出力機能が知られている。
【０００４】
特許文献１では、サンプル出力のタイミング時に、サンプル出力対象ページを決定し、当該サンプル出力対象ページを２回連続で出力し、一方を本出力物が排紙されるトレイへ、他方を本出力物が排紙されるトレイとは異なるトレイへ排紙することにより、ユーザが目視で画像形成の異常を確認することが可能な画像形成装置が提案されている。
【０００５】
一方、部分確認出力機能として、ジョブの一部分を指定し、指定された一部分を本出力開始前に出力することで、ユーザの所望の画像が得られているかどうかを本出力開始前に確認することが可能な任意ページプルーフ機能や、ジョブの先頭ページから所定のページまでを本出力開始前に出力することにより、正しく画像形成が行われているかどうかを本出力開始前に確認することが可能な先頭ページプルーフ機能が知られている。
【０００６】
特許文献２では、ジョブの先頭ページから任意のページまでを自動で、或いは手動で指定し、本出力開始前に出力させることで、一部全てを出力させることなく、時間及び消耗品の無駄な消費を抑えながら確認出力を行うことが可能な画像形成装置が提案されている。
【先行技術文献】
【特許文献】
【０００７】
【特許文献１】特開２００９−２５６５２号公報
【特許文献２】特開２００８−２４５３２２号公報
【発明の概要】
【発明が解決しようとする課題】
【０００８】
しかしながら、特許文献１、２に記載の画像形成装置では、１つのジョブに片面出力ページと両面出力ページが混在している場合に、部分確認出力対象ページが片面出力ページである場合と両面出力ページである場合について、どのように部分確認出力を行うかが考慮されていない。例えば上記の画像形成装置により、片面出力ページ、両面出力ページが混在するジョブを出力する場合、部分確認出力の対象ページが片面出力のページのみであるときは、部分確認出力も片面出力のみとなってしまい、画像の両面出力について、表面と裏面の画像形成位置のずれの調整等の、表裏調整の確認をすることができない、という課題があった。
【０００９】
本発明は、出力ジョブが片面出力、両面出力ページ混在ジョブであって、部分確認出力対象ページが片面出力ページである場合に、部分確認出力を両面出力で行うことが可能な画像形成装置を提供することを目的としている。
【課題を解決するための手段】
【００１０】
請求項１に記載の発明は、ジョブの一部に対して確認出力を行う部分確認出力機能を有する画像形成装置において、出力ジョブが片面出力、両面出力混在ジョブであって、予め設定された部分確認出力対象ページが片面出力ページである場合に、両面出力による部分確認出力を可能とすることを特徴とする画像形成装置である。
【００１１】
請求項２に記載の発明は、部分確認出力時に、予め設定された部分確認出力対象ページが片面出力ページである場合に、部分確認出力対象ページを、前記出力ジョブ内の両面出力ページを含むように変更して出力することを特徴とする請求項１に記載の画像形成装置である。
【００１２】
請求項３に記載の発明は、部分確認出力時に、予め設定された部分確認出力対象ページが片面出力ページである場合に、当該部分確認出力対象ページの記録面と反対の面に、前記出力ジョブ内の当該部分確認出力対象ページとは異なるページの画像を付加して出力することを特徴とする請求項１に記載の画像形成装置である。
【００１３】
請求項４に記載の発明は、部分確認出力時に、予め設定された部分確認出力対象ページが片面出力ページである場合に、当該部分確認出力対象ページの記録面と反対の面に、当該記録面の画像を付加して出力することを特徴とする請求項１に記載の画像形成装置である。
【００１４】
請求項５に記載の発明は、画像を記憶する記憶手段を有し、部分確認出力時に、予め設定された部分確認出力対象ページが片面出力ページである場合に、当該部分確認出力対象ページの記録面と反対の面に、前記記憶手段に記憶されている画像を付加して出力することを特徴とする請求項１に記載の画像形成装置である。
【００１５】
請求項６に記載の発明は、前記部分確認出力機能として、ジョブの出力中に出力画像の品質を確認することが可能なサンプル出力機能を有し、予め設定されたサンプル出力対象ページが片面出力ページである場合に、前記サンプル出力対象ページのサンプル出力を行わず、前記サンプル出力対象ページより後に出力されるページであって、最初の両面出力ページのサンプル出力を行うことを特徴とする請求項１に記載の画像形成装置である。
【発明の効果】
【００１６】
本発明に係る画像形成装置では、片面出力、両面出力混在ジョブを出力する場合、部分確認出力対象ページが片面出力ページであっても両面出力での部分確認出力が可能であり、ユーザは両面出力における表裏調整等の画像の品質を確認することができる。
【図面の簡単な説明】
【００１７】
【図１】本発明の実施形態における画像形成装置全体の構成図である。
【図２】本発明の実施形態における画像形成装置の電気的構成を示すブロック図である。
【図３】サンプル出力実施周期設定画面を示す図である。
【図４】第一の確認出力対象ページ設定画面を示す図である。
【図５】第二の確認出力対象ページ設定画面を示す図である。
【図６】サンプル出力機能実行時の制御手順の一例を示したフローチャートである。
【図７】先頭ページプルーフ機能或いは任意ページプルーフ機能実行時の制御手順の一例を示したフローチャートである。
【図８】本出力実行承認画面を示す図である。
【図９】図６、図７における「両面出力による部分確認出力処理」の一番目の例を示したフローチャートである。
【図１０】図６、図７における「両面出力による部分確認出力処理」の二番目の例を示したフローチャートである。
【図１１】図６、図７における「両面出力による部分確認出力処理」の三番目の例を示したフローチャートである。
【図１２】図６、図７における「両面出力による部分確認出力処理」の四番目の例を示したフローチャートである。
【図１３】サンプル出力機能実行時の制御手順の別の例を示したフローチャートである。
【発明を実施するための形態】
【００１８】
本発明の実施の形態を、図面を参照しながら説明する。
【００１９】
図１は、本発明の実施形態における画像形成装置全体の構成図である。画像形成装置１は、スキャナ部１０、プリンタ部２０、給紙部３０、後処理装置（ＦＮＳ）４０、操作部５０等を備えている。
【００２０】
スキャナ部１０は、自動原稿給送装置（ＡＤＦ）１０１、原稿読み取り用スリットガラス１０３、光学系１０４、ＣＣＤ（Ｃｈａｒｇｅ  Ｃｏｕｐｌｅｄ  Ｄｅｖｉｃｅ）イメージセンサ１０５等で構成されている。
【００２１】
自動原稿給送装置１０１の原稿台１０２に載置された原稿は、原稿読み取り用スリットガラス１０３上に搬送され、図示しない固定された光源より原稿に照射された光の反射光が、ミラー１０６、レンズ１０７等で構成される光学系１０４を通してＣＣＤイメージセンサ１０５により読み取られる。
【００２２】
プリンタ部２０は、静電潜像が形成される感光体ドラム２０１、感光体ドラム２０１を一様に帯電させる帯電部２０２、ＬＤ（Ｌａｓｅｒ  Ｄｉｏｄｅ）２０４により感光体ドラム２０１にレーザ光を照射する露光部２０３、静電潜像が形成された感光体ドラム２０１にトナー像を形成する現像部２０５、形成されたトナー像を用紙に転写する転写部２０６、用紙に転写されたトナー像を、熱と圧力で用紙に定着する定着部２０７、感光体ドラム２０１に残留したトナーを除去するクリーニング部２０８、給紙された用紙を搬送ローラ２１２により搬送する第一用紙搬送路２０９、両面出力実行時に片面に画像形成が行われた用紙を搬送する第二用紙搬送路２１０等で構成されている。
【００２３】
給紙部３０は、用紙を大量に収容する大容量給紙トレイ（ＬＣＴ）３０１、複数の給紙トレイ３０２、３０３、３０４等で構成されている。
【００２４】
後処理装置（ＦＮＳ）４０は、画像が形成された用紙に対して、パンチ処理やステープル処理等の各種後処理を行う装置である。また、後処理装置４０には複数の排紙トレイ４０１、４０２が備わっている。さらに、後処理装置４０として、大量の画像形成済みの用紙を収容するスタッカ等を接続することも可能である。
【００２５】
操作部５０は、ＬＣＤ（Ｌｉｑｕｉｄ  Ｃｒｉｓｔａｌ  Ｄｉｓｐｌａｙ）パネル５０１、スタートキー５０２、テンキー５０３等により構成されている。
【００２６】
ユーザにより、操作部５０から出力開始の指示がなされると、給紙部３０から所定の用紙が給紙され、第一用紙搬送路２０９により転写部２０６へ向けて搬送される。
【００２７】
一方、スキャナ部１０のＣＣＤイメージセンサ１０５により読み取られた信号に基づき、ＬＤ２０４が、帯電部２０２によって一様に帯電された感光体ドラム２０１に対してレーザ光を照射し、感光体ドラム２０１に静電潜像を形成する。その後現像部２０５により感光体ドラム２０１にトナー像が形成され、転写部２０６において搬送されてきた所定の用紙にトナー像が転写される。
【００２８】
定着部２０７においてトナー像が用紙に定着されると、出力モードが片面出力モードの場合は、用紙は後処理装置４０へと搬送され、操作部５０にて指定された所定の後処理が施された後、排紙トレイ４０１、或いは４０２に排紙される。出力モードが両面出力モードの場合は、用紙は第二用紙搬送路２１０方面へ搬送され、裏面の画像形成が行われた後に、後処理装置４０へと搬送され、操作部５０にて指定された所定の後処理が施された後、排紙トレイ４０１、或いは４０２に排紙される。
【００２９】
図２は、画像形成装置の電気的構成を示すブロック図である。図１に記載の構成と同一の構成には同一の符号を付してある。
【００３０】
画像形成装置１は、画像処理手段６０、画像制御部７０、スキャナ部１０、プリンタ部２０、操作部５０で構成されている。
【００３１】
画像処理手段６０は、画像処理手段６０の制御を行うコントローラ制御ＣＰＵ６０１、ＬＡＮ（Ｌｏｃａｌ  Ａｒｅａ  Ｎｅｔｗｏｒｋ）８０に接続し、データの送受信を行うＬＡＮ  ＩＦ（Ｉｎｔｅｒｆａｃｅ）６０２、ＬＡＮ  ＩＦ６０２を介して複数の端末９０、９１から受信した画像データを画像メモリ６０３に書き込み、或いは画像メモリ６０３に格納されている画像データを読み出すＤＲＡＭ（Ｄｙｎａｍｉｃ  Ｒａｎｄｏｍ  Ａｃｃｅｓｓ  Ｍｅｍｏｒｙ）制御ＩＣ（Ｉｎｔｅｇｒａｔｅｄ  Ｃｉｒｃｕｉｔ）６０４で構成されている。ＤＲＡＭ制御ＩＣ６０４と画像制御部７０内のＤＲＡＭ制御ＩＣ７０３は、ＰＣＩバス８１で接続されており、互いに画像データの入出力が行われる。
【００３２】
スキャナ部１０のＣＣＤイメージセンサ１０５で読み取られた信号は、画像制御部７０内の読み取り処理部７０１に送信され、画像データに変換される。変換された画像データは、圧縮ＩＣ７０２により圧縮処理され、ＤＲＡＭ制御ＩＣ７０３の制御により、画像メモリ７０４内の圧縮メモリ７０５に格納されるか、若しくは圧縮処理されずに、ＤＲＡＭ制御ＩＣ７０３の制御により、画像メモリ７０４内のページメモリ７０６にページごとに格納される。
【００３３】
端末９０、９１からＬＡＮ  ＩＦ７０７を介して、或いは操作部５０から画像書き込みの指示がなされると、ＤＲＡＭ制御ＩＣ７０３の制御によって、圧縮メモリ７０４から画像データが読み出され、伸長ＩＣ７０８によって伸長処理される。伸長処理された画像データは、書き込み処理部７０９により画像形成用の信号に変換され、プリンタ部２０に出力される。この信号に基づき、ＬＤ２０４が感光体ドラム２０１にレーザ光を照射する。
【００３４】
操作部５０は、各種表示がされ、タッチパネル方式により操作が可能なＬＣＤパネル５０１と、操作部５０の制御を行う操作部制御部５０４とで構成される。ユーザによる操作部５０における指示に基づき、印刷設定、部分確認出力設定等の各種設定が画像制御部７０に送信される。送信された各種設定は不揮発性メモリ７１０に格納される。
【００３５】
画像制御ＣＰＵ７１１はスキャナ制御部１０８、プリンタ制御部２１１、操作部制御部５０４とそれぞれシリアル通信を行い、スキャナ部１０、プリンタ部２０、操作部５０をそれぞれ制御している。
【００３６】
操作部５０、或いは端末９０、９１から部分確認出力実行の指示を受けると、画像制御ＣＰＵ７１１は、指示を基に後述する制御を行い、プリンタ部２０に部分確認出力を実行させる。
【００３７】
次に、図３乃至５を用いて、部分確認出力実行時の操作手順例について説明する。
【００３８】
部分確認機能として、サンプル出力機能が選択されると、ＬＣＤパネル５０１には図３に示す、サンプル出力周期設定画面が表示される。サンプル出力実施周期設定画面においては、テンキー５０３を使用することでサンプル出力実施周期が入力され、ＯＫキー５０５が押下されると、サンプル出力実施周期が設定される。この状態でさらにスタートキー５０２が押下されると、本出力中に、サンプル出力実施周期設定画面で予め設定されたサンプル出力実施周期毎にサンプル出力物を出力するサンプル出力機能が実行される。
【００３９】
部分確認出力機能として、先頭ページプルーフ機能が選択されると、ＬＣＤパネル５０１には図４に示す、第一の確認出力対象ページ設定画面が表示される。第一の確認出力対象ページ設定画面においては、テンキー５０３を使用することにより、先頭ページから何ページ目までを確認出力の対象範囲とするかが入力され、ＯＫキー５０５が押下されると、確認出力対象ページが設定される。この状態でさらにスタートキー５０２が押下されると、第一の確認出力対象ページ設定画面で予め設定された確認出力対象ページの確認出力が行われる。
【００４０】
部分確認出力機能として、任意ページプルーフ機能が選択されると、ＬＣＤパネル５０１には図５に示す、第二の確認出力対象ページ設定画面が表示される。第二の確認出力対象ページ設定画面においては、出力ジョブのページの画像が表示され、タッチパネル方式のＬＣＤパネル５０１を操作することにより、確認出力の対象とするページの画像が選択される。選択されたページの画像の右上部にはチェックマークが付されている。
【００４１】
ユーザにより確認出力の対象とするページが全て選択され、ＯＫキー５０５が押下されると、確認出力対象ページが設定される。この状態でさらにスタートキー５０２が押下されると、第二の確認出力対象ページ設定画面で予め設定された確認出力対象ページの確認出力が行われる。
【００４２】
先頭ページプルーフ機能、或いは任意ページプルーフ機能による部分確認出力が完了すると、ＬＣＤパネル５０１には図８に示す、本出力実行承認画面が表示される。ユーザにより、確認出力時の印刷設定のままで本出力を行う場合はＹＥＳキー５０６が押下されて本出力が開始され、確認出力時の印刷設定を変更する場合はＮＯキー５０７が押下され、ユーザにより印刷設定が変更される。
【００４３】
以上は、部分確認出力機能を実行する際の操作手順の一例である。図３乃至図５では、サンプル出力実施周期や、或いは確認出力対象ページをユーザの操作により決定しているが、予めサンプル出力実施周期、或いは確認出力対象ページを決定しておき、各部分確認出力機能が選択されると、自動的に、予め決定されたサンプル出力実施周期、或いは確認出力対象ページに基づき各部分確認出力機能が実行されるような構成を採ることも可能である。
【００４４】
図６は、サンプル出力機能実行時の制御手順を示したフローチャートである。
【００４５】
複数枚の原稿が自動原稿給送装置１０１の原稿台１０２に載置され、部分確認出力機能としてサンプル出力機能が選択され、図３に示す画面でサンプル出力実施周期が予め設定された状態において、スタートキー５０２が押下され、出力開始の指示がなされると（ステップＳ１０１）、画像制御ＣＰＵ７１１は、出力対象ページカウンタを０に初期化し（ステップＳ１０２）、続いて出力対象ページカウンタ、サンプル出力タイミングカウンタを１だけインクリメントする（ステップＳ１０３、ステップＳ１０４）。
【００４６】
次に、画像制御ＣＰＵ７１１は、サンプル出力タイミングカウンタが、設定されたサンプル出力実施周期を超えたかを判断する（ステップＳ１０５）。サンプル出力タイミングカウンタが、サンプル出力実施周期を超えていない場合は（ステップＳ１０５：Ｎｏ）、サンプル出力は行わず、出力対象ページカウンタで表されるページの出力を実行させる（ステップＳ１１１）。そして、出力対象ページカウンタで表されるページが最終ページである場合には（ステップＳ１１２：Ｙｅｓ）、出力を終了（ステップＳ１１３）し、出力対象ページカウンタで表されるページが最終ページではない場合は（ステップＳ１１２：Ｎｏ）、出力対象ページカウンタ、サンプル出力タイミングカウンタをさらに１だけインクリメントする（ステップＳ１０３、ステップＳ１０４）。
【００４７】
ステップＳ１０５でサンプル出力タイミングカウンタがサンプル出力実施周期を超えたと判断されると（ステップＳ１０５：Ｙｅｓ）、画像制御ＣＰＵ７１１は、出力中のジョブが片面出力、両面出力混在ジョブであるかを判断する（ステップＳ１０６）。出力中のジョブが片面出力、両面出力混在ジョブではないと判断されると（ステップＳ１０６：Ｎｏ）、画像制御ＣＰＵ７１１は、出力対象ページカウンタで表されるページの出力を実行させ、サンプル出力物として出力させる（ステップＳ１０９）。その後サンプル出力タイミングカウンタを０に初期化し（ステップＳ１１０）、再度出力対象ページカウンタで表される両面出力ページの出力を実行させ、本出力物として出力させる（ステップＳ１１１）。
【００４８】
ステップＳ１０６で出力中のジョブが片面出力、両面出力混在ジョブであると判断されると（ステップＳ１０６：Ｙｅｓ）、画像制御ＣＰＵ７１１は、出力対象ページカウンタで表されるページが片面出力ページであるかを判断する（ステップＳ１０７）。出力対象ページカウンタで表されるページが片面出力ページではないと判断されると（ステップＳ１０７：Ｎｏ）、画像制御ＣＰＵ７１１は、出力対象ページカウンタで表されるページの出力を実行させ、サンプル出力物として出力させる（ステップＳ１０９）。その後サンプル出力タイミングカウンタを０に初期化し（ステップＳ１１０）、再度出力対象ページカウンタで表されるページの出力を実行させ、本出力物として出力させる（ステップＳ１１１）。
【００４９】
ステップＳ１０７で、出力対象ページカウンタで表されるページが片面出力ページであると判断されると（ステップＳ１０７：Ｙｅｓ）、画像制御ＣＰＵ７１１は、ステップＳ１０８で、後述する両面出力による部分確認出力処理を行うことで、両面出力によるサンプル出力を実行させる。その後サンプル出力タイミングカウンタを０に初期化し（ステップＳ１１０）、出力対象ページカウンタで表されるページの出力を実行させ、本出力物として出力させる（ステップＳ１１１）。
【００５０】
部分確認出力機能として、サンプル出力機能が選択された場合は、図６に示すように、出力中のジョブが片面出力のみ、或いは両面出力のみのジョブである場合や、予め設定されたサンプル出力対象ページが両面出力ページである場合は、通常のサンプル出力を行い、出力中のジョブが片面出力、両面出力混在ジョブであって、予め設定されたサンプル出力対象ページが片面出力ページである場合は、後述する両面出力による部分確認出力処理を行うことで、いかなるタイミングにおいても両面出力によるサンプル出力が実行可能であり、ユーザは常に画像の両面出力における表裏調整の確認が可能である。
【００５１】
図６に示すフローチャートにおいて、ステップＳ１０８、又はＳ１０９においてサンプル出力が実行された後に、例えば出力を自動又は手動で一時停止させる等することで、ユーザがサンプル出力物の画像の品質確認を行い、必要に応じて図示しない印刷設定変更画面において各種印刷設定を変更するステップを含めることが可能である。
【００５２】
このような場合、ユーザによるサンプル出力物に対する確認作業の結果、印刷設定の変更が必要でない場合は、ジョブの本出力を出力対象ページカウンタで表されるページから再開させ、変更が必要である場合は、印刷設定を変更し、変更後にジョブの本出力を最初のページから、或いはユーザにより指定されたページから再開させるような構成を採用することが可能である。
【００５３】
また、ここでは原稿台１０２に載置された原稿に対してのサンプル出力について述べたが、例えば端末９０、９１から画像形成装置１に対して送信された画像に対しても、上記の制御により両面出力によるサンプル出力が実行可能である。
【００５４】
図７は、先頭ページプルーフ機能或いは任意ページプルーフ機能実行時の制御手順を示したフローチャートである。
【００５５】
複数枚の原稿が自動原稿給送装置１０１の原稿台１０２に載置され、部分確認出力機能として先頭ページプルーフ機能、或いは任意ページプルーフ機能が選択され、図４、或いは図５に示す画面において確認出力対象ページが予め設定された状態で、スタートキー５０２が押下され、出力開始の指示がなされると（ステップＳ２０１）、画像制御ＣＰＵは、出力中のジョブが片面出力、両面出力混在ジョブであるかを判断する（ステップＳ２０２）。
【００５６】
出力中のジョブが片面出力、両面出力混在ジョブではないと判断されると（ステップＳ２０２：Ｎｏ）、画像制御ＣＰＵ７１１は、設定された確認出力対象ページの確認出力を実行させる（ステップＳ２０５）。
【００５７】
出力中のジョブが片面出力、両面出力混在ジョブであると判断されると（ステップＳ２０２：Ｙｅｓ）、画像制御ＣＰＵ７１１は、設定された確認出力対象ページに、両面出力ページが存在するか否かを判断する（ステップＳ２０３）。確認出力対象ページに両面出力ページが存在すると判断されると（ステップＳ２０３：Ｙｅｓ）、画像制御ＣＰＵ７１１は、確認出力対象ページの確認出力を実行させる（ステップＳ２０５）。
【００５８】
確認出力対象ページに両面出力ページが存在しないと判断されると（ステップＳ２０３：Ｎｏ）、画像制御ＣＰＵ７１１は、ステップＳ２０４で、後述する両面出力による部分確認出力処理を行い、両面出力による確認出力が実行される。
【００５９】
ステップＳ２０４、或いはステップＳ２０５において確認出力が実行されると、画像制御ＣＰＵは、操作部のＬＣＤパネルに図８に示すような本出力実行承認画面を表示させる（ステップＳ２０６）。
【００６０】
図８においてＮＯキーが押下されると（ステップＳ２０７：Ｎｏ）、画像制御ＣＰＵ７１１は、操作部のＬＣＤパネル５０１に図示しない印刷設定変更画面を表示させる（ステップＳ２０８）。ユーザは画像形成位置、印刷濃度等の各種印刷設定を変更し、変更が完了すると（ステップＳ２０９：Ｙｅｓ）、ステップＳ２０２に戻り、再び確認出力が行われる。
【００６１】
一方、図８においてＹＥＳキーが押下されると、画像制御ＣＰＵ７１１は、確認出力時の印刷設定のまま本出力を実行させ（ステップＳ２１０）、出力を終了させる（ステップＳ２１１）。
【００６２】
部分確認出力機能として、先頭ページプルーフ機能、或いは任意ページプルーフ機能が選択された場合は、図７に示すように、出力中のジョブが片面出力のみ、或いは両面出力のみのジョブである場合や、予め設定された確認出力対象ページに両面出力ページが含まれる場合は、通常の確認出力を行い、出力中のジョブが片面出力、両面出力混在ジョブであって、予め設定された確認出力対象ページが片面出力ページのみである場合は、後述する両面出力による部分確認出力処理を行うことで、常に両面出力ページを含む確認出力が可能であり、ユーザは常に画像の両面出力における表裏調整等の確認が可能である。
【００６３】
また、ここでは原稿台１０２に載置された原稿に対しての確認出力について述べたが、例えば端末９０、９１から画像形成装置１に対して送信された画像に対しても、上記の制御により両面出力による確認出力が実行可能である。
【００６４】
加えて、図６、或いは図７においては、出力中のジョブが片面出力、両面出力混在ジョブであって、予め設定された部分確認出力対象ページが片面出力ページである場合は、必ず両面出力による部分確認出力処理を実行するような制御を行っているが、予めユーザにより、必ず両面出力による部分確認出力処理を行うか否かを選択させるような構成を採ることも可能である。
【００６５】
次に、図９乃至図１２を参照して、両面出力による部分確認出力処理（ステップＳ１０８、Ｓ２０４）の処理例を説明する。
【００６６】
図９は、両面出力による部分確認出力処理例として、予め設定された部分確認出力対象ページが片面出力ページである場合に、部分確認出力対象ページを、出力ジョブ内の両面出力ページを含むように変更して確認出力を実行させる制御手順を示したフローチャートである。
【００６７】
図６のステップＳ１０７、或いは図７のステップＳ２０３において、部分確認対象ページが片面出力ページである場合に、画像制御ＣＰＵ７１１は、部分確認出力対象ページを変更する（ステップＳ３０１）。部分確認出力対象ページは、両面出力ページを含むように変更され、その変更方法としては、例えば、部分確認出力対象ページに最も近い両面出力ページを含むように部分確認出力対象ページをシフトさせる、或いは拡大させる方法や、部分確認出力対象ページに、出力ジョブ内の両面出力ページを１ページ付加する方法、出力ジョブ内の全両面出力ページを部分確認出力対象ページとする方法等が考えられる。また、ユーザにより任意のページを部分確認出力対象ページとして選択させる構成を採ることも可能である。
【００６８】
部分確認出力対象ページが変更されると、画像制御ＣＰＵ７１１は、変更された部分確認出力対象ページの画像データを取得し（ステップＳ３０２）、取得した画像データに基づき部分確認出力を実行させ（ステップＳ３０３）、両面出力による部分確認出力処理を終了する（ステップＳ３０４）。
【００６９】
図１０は、両面出力による部分確認出力処理例として、予め設定された部分確認出力対象ページが片面出力ページである場合に、部分確認出力対象ページの記録面と反対の面に、出力ジョブ内の異なるページの画像を付加して部分確認出力を実行させる制御手順を示したフローチャートである。
【００７０】
図６のステップＳ１０７、或いは図７のステップＳ２０３において、部分確認出力対象ページが片面出力ページである場合に、画像制御ＣＰＵ７１１は、部分確認出力対象ページの画像データを取得し（ステップＳ３１１）、続いて付加する画像を取得するページを決定する（ステップＳ３１２）。付加対象となるページは、例えば、出力中のジョブの先頭ページ、或いは最終ページ、部分確認出力対象ページの直前のページ、或いは直後のページ等が考えられる。また、ユーザにより付加対象となるページを選択させる構成を採ることも可能である。
【００７１】
付加する画像を取得するページが決定されると、画像制御ＣＰＵ７１１は、決定された付加対象となるページの画像を取得する（ステップＳ３１３）。
【００７２】
付加対象のページの画像が取得されると、画像制御ＣＰＵ７１１は、部分確認出力対象ページの印刷モードが表面出力であるか、裏面出力であるかを判断する（ステップＳ３１４）。部分確認出力対象ページの出力モードが表面出力である場合は（ステップＳ３１４：Ｙｅｓ）、表面の画像としてステップＳ３１１で取得した部分確認出力対象ページの画像を付加し、裏面の画像としてステップＳ３１３で取得した付加対象のページの画像を付加して、両面出力として部分確認出力を実行させ（ステップＳ３１５）、両面出力による部分確認出力処理を終了する（ステップＳ３１７）。
【００７３】
一方、部分確認出力対象ページの印刷モードが裏面出力である場合は（ステップＳ３１４：Ｎｏ）、裏面の画像としてステップＳ３１１で取得した部分確認出力対象ページの画像を付加し、表面の画像としてステップＳ３１３で取得した付加対象ページの画像を付加して、両面出力として部分確認出力を実行させ（ステップＳ３１６）、両面出力による部分確認出力処理を終了する（ステップＳ３１７）。
【００７４】
図１１は、両面出力による部分確認出力処理例として、予め設定された部分確認出力対象ページが片面出力ページである場合に、部分確認出力対象ページの記録面と反対の面に、当該記録面の画像と同一の画像を付加して確認出力を実行させる制御手順を示したフローチャートである。
【００７５】
図６のステップＳ１０７、或いは図７のステップＳ２０３において、部分確認出力対象ページが片面出力ページである場合に、画像制御ＣＰＵ７１１は、部分確認出力対象ページの画像データを取得し（ステップＳ３２１）、部分確認出力対象ページの出力モードが表面出力であるか、裏面出力であるかを判断する（ステップＳ３２２）。部分確認出力対象ページの出力モードが表面出力である場合は（ステップＳ３２２：Ｙｅｓ）、表面の画像としてステップＳ３２１で取得した画像を付加し、裏面の画像として表面の画像と同一の画像を付加して、両面出力として部分確認出力を実行させ（ステップＳ３２３）、両面出力による部分確認出力処理を終了する（ステップＳ３２５）。
【００７６】
一方、部分確認出力対象ページの出力モードが裏面出力である場合は（ステップＳ３２２：Ｎｏ）、裏面の画像としてステップＳ３２１で取得した画像を付加し、表面の画像として裏面の画像と同一の画像を付加して、両面出力として部分確認出力を実行させ（ステップＳ３２４）、両面出力による部分確認出力処理を終了する（ステップＳ３２５）。
【００７７】
図１２は、両面出力による部分確認出力処理例として、予め設定された部分確認出力対象ページが片面出力ページである場合に、部分確認出力対象ページの記録面と反対の面に、記憶手段に記憶されている画像を付加して確認出力を実行させる制御手順を示したフローチャートである。
【００７８】
図６のステップＳ１０７、或いは図７のステップＳ２０３において、部分確認出力対象ページが片面出力ページである場合に、画像制御ＣＰＵ７１１は、部分確認出力対象ページの画像データを取得し（ステップＳ３３１）、さらに画像メモリ７０４に記憶されている画像を取得する（ステップＳ３３２）。ステップＳ３３２で取得される画像としては、例えば、固定のチャート画像であったり、出力条件に応じて選択されたチャート画像であってもよい。また、予めユーザが画像メモリ７０４に記憶させておいた画像を用いるようにすることも可能である。
【００７９】
画像メモリ７０４に記憶されている画像が取得されると、画像制御ＣＰＵ７１１は、部分確認出力対象ページの出力モードが表面出力であるか、裏面出力であるかを判断する（ステップＳ３３３）。部分確認出力対象ページの出力モードが表面出力である場合は（ステップＳ３３３：Ｙｅｓ）、表面の画像としてステップＳ３３１で取得した部分確認出力対象ページの画像を付加し、裏面の画像としてステップＳ３３２で取得した画像メモリ７０４に記憶されている画像を付加して、両面出力として部分確認出力を実行させ（ステップＳ３３４）、両面出力による部分確認出力処理を終了する（ステップＳ３３６）。
【００８０】
一方、部分確認出力対象ページの出力モードが裏面出力である場合は（ステップＳ３３３：Ｎｏ）、裏面の画像としてステップＳ３３１で取得した部分確認出力対象ページの画像を付加し、表面の画像としてステップＳ３３２で取得した画像メモリ７０４に記憶されている画像を付加して、両面出力として部分確認出力を実行させ（ステップＳ３３５）、両面出力による部分確認出力処理を終了する（ステップＳ３３６）。
【００８１】
図９乃至図１２に示すように、両面出力による部分確認出力処理は、部分確認出力対象ページを、片面出力ページから両面出力ページに編集、或いは両面出力ページを含むように変更する処理である。
【００８２】
図１３は、部分確認出力機能としてサンプル出力機能が選択され、予め設定されたサンプル出力対象ページが片面出力ページである場合に、サンプル出力のタイミングをシフトし、両面出力ページでのサンプル出力を行うための制御手順を示したフローチャートである。
【００８３】
複数枚の原稿が自動原稿給送装置１０１の原稿台１０２に載置され、部分確認出力機能としてサンプル出力機能が選択され、図３に示す画面において、サンプル出力実施周期が設定された上でスタートキー５０２が押下され、出力開始の指示がなされると（ステップＳ４０１）、画像制御ＣＰＵ７１１は、出力対象ページカウンタを０に初期化し（ステップＳ４０２）、続いて出力対象ページカウンタ、サンプル出力タイミングカウンタを１だけインクリメントする（ステップＳ４０３、ステップＳ４０４）。
【００８４】
次に、画像制御ＣＰＵ７１１は、サンプル出力タイミングカウンタが、設定されたサンプル出力実施周期を超えたかを判断する（ステップＳ４０５）。サンプル出力タイミングカウンタが、サンプル出力実施周期を超えていない場合は（ステップＳ４０５：Ｎｏ）、サンプル出力は行わず、出力対象ページカウンタで表されるページの出力を実行させ、本出力物として出力させる（ステップＳ４１０）。そして、出力対象ページカウンタで表されるページが最終ページである場合には（ステップＳ４１１：Ｙｅｓ）、出力を終了し（ステップＳ４１２）、出力対象ページカウンタで表されるページが最終ページではない場合は（ステップＳ４１１：Ｎｏ）、出力対象ページカウンタ、サンプル出力タイミングカウンタをさらに１だけインクリメントする（ステップＳ４０３、ステップＳ４０４）。
【００８５】
ステップＳ４０５でサンプル出力タイミングカウンタがサンプル出力実施周期を超えたと判断されると（ステップＳ４０５：Ｙｅｓ）、画像制御ＣＰＵ７１１は、出力中のジョブが片面出力、両面出力混在ジョブであるかを判断する（ステップＳ４０６）。出力中のジョブが片面出力、両面出力混在ジョブではないと判断されると（ステップＳ４０６：Ｎｏ）、画像制御ＣＰＵ７１１は、出力対象ページカウンタで表されるページの出力を実行させ、サンプル出力物として出力させる（ステップＳ４０８）。その後サンプル出力タイミングカウンタを０に初期化し（ステップＳ４０９）、再度出力対象ページカウンタで表されるページの出力を実行させ、本出力物として出力させる（ステップＳ４１０）。
【００８６】
ステップＳ４０６で出力中のジョブが片面出力、両面出力混在ジョブであると判断されると（ステップＳ４０６：Ｙｅｓ）、画像制御ＣＰＵ７１１は、出力対象ページカウンタで表されるページが片面出力ページであるかを判断する（ステップＳ４０７）。出力対象ページカウンタで表されるページが片面出力ページであると判断されると（ステップＳ４０７：Ｙｅｓ）、画像制御ＣＰＵ７１１は、サンプル出力を実行させずに、出力対象ページカウンタで表されるページの出力を実行させ、本出力物として出力させる（ステップＳ４１０）。
【００８７】
その後、出力対象ページカウンタで表されるページが最終ページでないならば（ステップＳ４１１：Ｎｏ）、ステップＳ４０３に戻り、出力対象ページカウンタが１だけインクリメントされ、さらにサンプル出力タイミングカウンタも１だけインクリメントされる（ステップＳ４０４）。そしてステップＳ４０５、ステップＳ４０６を経て再び出力対象ページカウンタで表されるページが片面出力ページであるかが判断される（ステップＳ４０７）。
【００８８】
ステップＳ４０７で、出力対象ページカウンタで表されるページが片面出力ページではないと判断されると（ステップＳ４０７：Ｎｏ）、画像制御ＣＰＵ７１１は、出力対象ページカウンタで表されるページの出力を実行させ、サンプル出力物として出力させる（ステップＳ４０８）。その後サンプル出力タイミングカウンタを０に初期化し（ステップＳ４０９）、出力対象ページカウンタで表されるページの出力を実行させ、本出力物として出力させる（ステップＳ４１０）。
【００８９】
部分確認出力機能として、サンプル出力機能が選択された際に、図１３に示す通り、出力中のジョブが片面出力、両面出力混在ジョブであって、予め設定されたサンプル出力対象ページが片面出力ページである場合は、サンプル出力を実行せずに本出力の実行を継続し、その後の最初の両面出力ページのサンプル出力を実行するような制御を行うことで、両面出力によるサンプル出力が可能である。
【００９０】
また、ここでは原稿台１０２に載置された原稿に対してのサンプル出力について述べたが、例えば端末９０、９１から画像形成装置１に対して送信された画像に対しても、上記の制御により両面出力によるサンプル出力が実行可能である。
【００９１】
以上、本発明の実施の形態における画像形成装置によれば、部分確認出力機能実行時に、出力中のジョブが片面出力、両面出力混在ジョブであっても、両面出力による部分確認出力が可能であり、ユーザは、両面の画像形成について、表面、裏面それぞれの画像形成位置のずれ等の表裏調整の確認を行うことが可能となる。
【００９２】
尚、本発明は上記実施の形態に限定されるものではなく、本発明を逸脱しない限りにおいて異なる実施形態を採用することも可能である。
【符号の説明】
【００９３】
１  画像形成装置
１０  スキャナ部
２０  プリンタ部
３０  給紙部
４０  後処理装置
５０  操作部
７０３  ＤＲＡＭ制御ＩＣ
７０４  画像メモリ
７１１  画像制御ＣＰＵ
【図１】
2012054801.tif 000003
【図２】
2012054801.tif 000004
【図３】
2012054801.tif 000005
【図４】
2012054801.tif 000006
【図５】
2012054801.tif 000007
【図６】
2012054801.tif 000008
【図７】
2012054801.tif 000009
【図８】
2012054801.tif 000010
【図９】
2012054801.tif 000011
【図１０】
2012054801.tif 000012
【図１１】
2012054801.tif 000013
【図１２】
2012054801.tif 000014
【図１３】
2012054801.tif 000015